(57)【要約】【課題】本人認証の時だけＩＣカードに所有者の顔画像を表示させる。【解決手段】外部から無線で受け取る電力により動作するＩＣカード１００であって、当該ＩＣカード１００を所有する所有者の顔画像を保持する顔画像保持部１３０と、当該ＩＣカード１００の表面に設けられた表示部１１０と、無線により電力を受け取った場合に、顔画像保持部１３０が保持している顔画像を用いて所有者の顔を表示部１１０に表示させる表示制御部１７０とを備える。顔画像保持部１３０は、顔画像の動画を格納しており、表示制御部１７０は、顔画像保持部１３０から動画を読み出して、表示部１１０に所有者の顔を動画表示させてもよい。【選択図】  図３
2004240632.tif 000002
【特許請求の範囲】
【請求項１】
外部から無線で受け取る電力により動作するＩＣカードであって、
当該ＩＣカードを所有する所有者の顔画像を保持する顔画像保持部と、
当該ＩＣカードの表面に設けられた表示部と、
前記無線により前記電力を受け取った場合に、前記顔画像保持部が保持している前記顔画像を用いて前記所有者の顔を前記表示部に表示させる表示制御部と
を備えるＩＣカード。
【請求項２】
前記顔画像保持部は、前記顔画像の動画を格納しており、
前記表示制御部は、前記顔画像保持部から前記動画を読み出して、前記表示部に前記所有者の顔を動画表示させることを特徴とする請求項１に記載のＩＣカード。
【請求項３】
前記顔画像保持部は、前記所有者の顔を順次異なる方向から撮像した動画を格納していることを特徴とする請求項２に記載のＩＣカード。
【請求項４】
前記顔画像保持部は、表情が異なる複数の顔画像を保持しており、
前記表示制御部は、前記顔画像保持部から前記複数の顔画像を順次読み出し、それぞれの前記顔画像に基づいて、表情が異なる前記所有者の複数の顔をそれぞれ前記表示部に表示させることを特徴とする請求項１に記載のＩＣカード。
【請求項５】
前記顔画像保持部は前記顔画像の３次元データを格納しており、
前記表示制御部は、前記３次元データを用いて前記所有者の顔を、向きを変更しつつ前記表示部に表示させることを特徴とする請求項１に記載のＩＣカード。
【請求項６】
前記所有者の識別情報を格納する識別情報保持部を更に備え、
前記表示制御部は、前記識別情報格納部から前記識別情報が読み出されるときに、当該ＩＣカードを利用する利用目的を受信し、前記利用目的に応じて、前記表示部に前記顔画像を表示するか否かを判断することを特徴とする請求項１に記載のＩＣカード。
【請求項７】
前記無線で受け取った前記電力の一部を蓄積する蓄電部を更に備え、
前記表示部は、前記無線によって前記電力を受け取ることができなくなった後に、人が前記顔画像を視認するのに必要な時間、前記蓄電部に蓄積された電力を用いて前記顔画像を表示することを特徴とする請求項１に記載のＩＣカード。
【請求項８】
前記無線によって前記電力を受け取ることができなくなった後、前記蓄電部に蓄積された前記電力を前記表示部に提供すると共に、前記表示制御部の少なくとも一部に対する前記電力の提供を遮断する電力制御部を更に備えることを特徴とする請求項７に記載のＩＣカード。
【請求項９】
前記表示部は、発光体、および前記発光体が発光を終えた後に発光し、前記表示部に表示されていた前記顔画像を表示させる蛍光体を有することを特徴とする請求項１に記載のＩＣカード。
【請求項１０】
前記顔画像保持部は、前記所有者の秘密鍵で暗号化された前記顔画像を保持しており、
前記所有者の識別情報を保持する識別情報保持部と、
前記所有者の前記識別情報に基づいて検索される前記所有者の公開鍵を受信する公開鍵受信部と、
前記公開鍵に基づいて前記顔画像を復号する復号部とを更に備え、
前記表示制御部は、前記復号部が復号した前記顔画像を用いて前記所有者の顔を前記表示部に表示させることを特徴とする請求項１に記載のＩＣカード。
【発明の詳細な説明】
【０００１】
【発明の属する技術分野】
本発明は、ＩＣカードに関する。特に本発明は、本人認証の時だけ所有者の顔画像を表示するＩＣカードに関する。
【０００２】
【従来の技術】
人は、キャッシュカード、クレジットカード、医療機関の診察カードなど、複数のカードを所持している。近年、これら複数のカードを一枚のＩＣカードに統合するための技術開発が進められている（例えば非特許文献１参照）。
【０００３】
【非特許文献１】
伊土誠一監修「ＩＣカード情報流通プラットホーム−２１世紀情報社会のキーテクノロジー−」電気通信協会、２００１年５月１０日
【０００４】
【発明が解決しようとする課題】
ＩＣカードが所有者の個人情報を保持している場合、本人認証を行ってからＩＣカードを動作させことが好ましい。本人認証方法の一つに、ＩＣカードに所有者の顔画像を表示させ、この顔画像がＩＣカードの使用者の顔に一致するか否かを人の目が判断する方法がある。一方で、ＩＣカードに顔画像が常に表示されていると、他人のＩＣカードを取得した人は、このＩＣカードの所有者が自分に似ているか否かを判断することができる。そして、ＩＣカードが悪用される場合もある。このため、本人認証の時にのみＩＣカードに所有者の顔画像を表示させることが好ましい。
【０００５】
そこで本発明は、上記の課題を解決することのできるＩＣカードを提供することを目的とする。この目的は特許請求の範囲における独立項に記載の特徴の組み合わせにより達成される。また従属項は本発明の更なる有利な具体例を規定する。
【０００６】
【課題を解決するための手段】
即ち、本発明の第１の形態によると、外部から無線で受け取る電力により動作するＩＣカードであって、当該ＩＣカードを所有する所有者の顔画像を保持する顔画像保持部と、当該ＩＣカードの表面に設けられた表示部と、無線により電力を受け取った場合に、顔画像保持部が保持している顔画像を用いて所有者の顔を表示部に表示させる表示制御部とを備えるＩＣカードを提供する。
【０００７】
第１の形態において、顔画像保持部は、顔画像の動画を格納しており、表示制御部は、顔画像保持部から動画を読み出して、表示部に所有者の顔を動画表示させてもよい。
この場合、顔画像保持部は、所有者の顔を順次異なる方向から撮像した動画を格納していてもよい。
【０００８】
顔画像保持部は、表情が異なる複数の顔画像を保持しており、表示制御部は、顔画像保持部から複数の顔画像を順次読み出し、それぞれの顔画像に基づいて、表情が異なる所有者の複数の顔をそれぞれ表示部に表示させてもよい。
【０００９】
顔画像保持部は顔画像の３次元データを格納しており、表示制御部は、３次元データを用いて所有者の顔を、向きを変更しつつ表示部に表示させてもよい。
【００１０】
所有者の識別情報を格納する識別情報保持部を更に備え、表示制御部は、識別情報格納部から識別情報が読み出されるときに、当該ＩＣカードを利用する利用目的を受信し、利用目的に応じて、表示部に顔画像を表示するか否かを判断してもよい。
【００１１】
無線で受け取った電力の一部を蓄積する蓄電部を更に備え、表示部は、無線によって電力を受け取ることができなくなった後に、人が顔画像を視認するのに必要な時間、蓄電部に蓄積された電力を用いて顔画像を表示してもよい。
【００１２】
無線によって電力を受け取ることができなくなった後、蓄電部に蓄積された電力を表示部に提供すると共に、表示制御部の少なくとも一部に対する電力の提供を遮断する電力制御部を更に備えてもよい。
【００１３】
表示部は、複数の発光画素、および複数の発光画素のそれぞれの上に設けられ、発光画素が発光を終えた後にも継続して発光する蛍光体を有してもよい。
【００１４】
顔画像保持部は、所有者の秘密鍵で暗号化された顔画像を保持しており、所有者の識別情報を保持する識別情報保持部と、所有者の識別情報に基づいて検索される所有者の公開鍵を受信する公開鍵受信部と、公開鍵に基づいて顔画像を復号する復号部とを更に備え、表示制御部は、復号部が復号した顔画像を用いて所有者の顔を表示部に表示させてもよい。
【００１５】
なお上記の発明の概要は、本発明の必要な特徴の全てを列挙したものではなく、これらの特徴群のサブコンビネーションも又発明となりうる。
【００１６】
【発明の実施の形態】
以下、発明の実施形態を通じて本発明を説明するが、以下の実施形態は特許請求の範囲にかかる発明を限定するものではなく、又実施形態の中で説明されている特徴の組み合わせの全てが発明の解決手段に必須であるとは限らない。
【００１７】
図１は、本発明の実施形態であるＩＣカード１００の正面図である。ＩＣカード１００は、表面に表示部１１０を備えており、また、予め所有者の顔画像を保持している。表示部１１０は、例えば液晶表示パネルやＥＬパネルである。
【００１８】
ＩＣカード１００は、電池を内蔵しておらず、外部の無線発信装置２０から、予め定められた周波数の無線によって電力を受け取る。そして、受け取った電力を用いて、表示部１１０に、予め保持している所有者の顔画像を表示する。
このため、ＩＣカード１００の使用者がＩＣカード１００の所有者であると目視で判断することができる。
また、無線を受信しない限り、ＩＣカード１００は、所有者の顔画像を表示しない。従って、ＩＣカード１００は、使用者を認証する必要があるとき以外に所有者の顔画像を表示しない。
【００１９】
図２は、ＩＣカード１００の回路図である。ＩＣカード１００は、コイル１２、処理回路１４、整流子１６及びコンデンサ１８を備える。処理回路１４は、表示部１１０を含む。
【００２０】
コイル１２は、一端が接地しており、かつ処理回路１４の−側に接続している。コイル１２の他端は、整流子１６を介して処理回路１４の＋側に接続している。また、コンデンサ１８は処理回路１４と並列に設けられている。コンデンサ１８は蓄電部の一例である。
【００２１】
この回路構成において、コイル１２は、無線発信装置２０が発信した電磁波によって電力を生じさせる。コイル１２に生じた電力は、整流子１６及びコンデンサ１８によって整流され、処理回路１４に供給される。また、コイル１２に生じた電力の一部はコンデンサ１８に蓄電される。
【００２２】
コンデンサ１８の容量は、無線による電力の供給が止まった後に、表示部１１０に表示された顔画像を人が視認するために必要な時間表示を継続させるために必要な大きさである。この表示を継続させる時間は、例えば１秒以上５秒以下である。
従って、顔認証を行った人がＩＣカード１００を所有者に返却した後も、ＩＣカード１００の表示部１１０は、しばらくの間顔画像を表示する。このため、ＩＣカード１００の所持者は、顔認証時に表示部１１０に表示された顔を視認することができる。
【００２３】
図３は、処理回路１４の機能構成を示すブロック図である。処理回路１４は、表示部１１０の他に、電力制御部１２０、顔画像保持部１３０、識別情報保持部１４０、公開鍵受信部１５０、復号部１６０、及び表示制御部１７０を有する。
電力制御部１２０は、コイル１２及び／又はコンデンサ１８から供給される電力を、表示部１１０に供給するか否かを制御する。また、公開鍵受信部１５０、復号部１６０、及び表示制御部１７０に電力を供給するか否かを制御する。顔画像保持部１３０はＩＣカードの所有者の顔画像を、ＩＣカード１００の所有者の秘密鍵で暗号化された状態で保持する。識別情報保持部１４０は、ＩＣカード１００の所有者の識別情報、例えばＩＤを保持する。公開鍵受信部１５０は、ＩＣカード１００の所有者の公開鍵を外部から受信する。復号部１６０は、公開鍵受信部１５０が受信した公開鍵を用いて所有者の顔画像を復号する。表示制御部１７０は、復号された所有者の顔画像を表示部１１０が有する画像メモリに展開する。
なお、各部の動作の詳細については、フローチャートを用いて後述する。
【００２４】
図４は、ＩＣカード１００の動作を示すフローチャートである。無線発信装置２０が無線を発信し、コイル１２に電力が生じた場合（Ｓ１０）、電力制御部１２０は、顔画像保持部１３０、識別情報保持部１４０、公開鍵受信部１５０、復号部１６０、及び表示制御部１７０に電力を供給する。公開鍵受信部１５０は識別情報保持部１４０から所有者の識別情報を読み出し（Ｓ２０）、読み出した識別情報を外部に出力して公開鍵を要求する（Ｓ３０）。識別情報を受信した外部の装置は、所有者の識別情報に基づいて所有者の公開鍵を検索し、検索した公開鍵を公開鍵受信部１５０に送信して受信させる（Ｓ４０）。
そして、電力制御部１２０、復号部１６０、及び表示制御部１７０は画像表示処理を行う（Ｓ５０）。
従って、ＩＣカード１００は、所有者の識別情報に基づいて所有者の公開鍵を検索することができる。
【００２５】
図５は、図４のＳ５０の一例である。本例は、顔画像保持部１３０が、所有者の顔の動画を保持している場合のＩＣカード１００の動作を示す。顔画像保持部１３０が保持している動画は、例えばＩＣカード１００の所有者の顔を順次異なる方向から撮像したものである。
【００２６】
復号部１６０は、顔画像保持部１３０から、秘密鍵で暗号化された動画を読み出し（Ｓ１００）、公開鍵受信部１５０が受信した公開鍵を用いて復号する（Ｓ１１０）。復号に失敗した場合（Ｓ１２０：Ｎｏ）、ＩＣカード１００は、顔画像保持部１３０が保持している顔画像は改ざんされた可能性があると判断して処理を終了する。
復号部１６０が復号に成功した場合（Ｓ１２０：Ｙｅｓ）、電力制御部１２０は、表示部１１０に電力を供給する。表示制御部１７０は、無線の受信がするまで（Ｓ１４０）、表示部１１０に動画を表示させる（Ｓ１３０）。
【００２７】
従って、表示部１１０が表示する顔画像の信頼性は高くなる。
また、目視で顔認証を行う人は、ＩＣカード１００の所持者の顔と、ＩＣカード１００の所有者の顔を、様々な向きから照合することができる。
【００２８】
そして、無線の受信が終了した場合、電力制御部１２０は、顔画像保持部１３０、識別情報保持部１４０、公開鍵受信部１５０、復号部１６０、及び表示制御部１７０への電力供給を遮断する（Ｓ１５０）。このため、ＩＣカード１００は、コンデンサ１８が蓄えている電力を利用して長い時間表示部１１０の表示を維持することができる。
【００２９】
図６は、図５に示したＳ５０における動作の第１の変形例を示す。本変形例において、顔画像保持部１３０は、複数の静止顔画像を保持している。複数の静止顔画像は、互いに表情が異なっているか、又は互いに顔の向きが異なっている。本例において、複数の静止顔画像は一つの画像群すなわち一つのデータとして暗号化されているが、個々に別個のデータとして暗号化されていてもよい。
【００３０】
復号部１６０は、顔画像保持部１３０から画像群を読み出し（Ｓ２１０）、公開鍵受信部１５０が受信した公開鍵を用いて復号する（Ｓ２２０）。復号に失敗した場合（Ｓ２３０：Ｎｏ）、ＩＣカード１００は、顔画像保持部１３０が保持している画像群は改ざんされた可能性があると判断して処理を終了する。
【００３１】
電力供給部１２０は、表示部１１０への電力供給を開始する。そして、表示制御部１７０は、画像群を構成する複数の静止顔画像から一つの画像を選択し、表示部１１０に表示させる（Ｓ２４０）。表示制御部１７０は、予め定められた時間経過した後（Ｓ２５０）に、表示している画像を更新する（Ｓ２６０）。予め定められた時間は、例えば１秒以上５秒以下である。
このため、目視で顔認証を行う人は、ＩＣカード１００を所持している人の顔と、ＩＣカード１００の所有者の顔を、複数の表情又は複数の向きで照合することができる。
【００３２】
そして、無線発信装置１２０から無線を受信しなくなった場合（Ｓ２７０：Ｙｅｓ）、電力制御部１２０は、顔画像保持部１３０、識別情報保持部１４０、公開鍵受信部１５０、復号部１６０、及び表示制御部１７０への電力供給を遮断する（Ｓ２８０）。
【００３３】
図７は、図５に示したＳ５０における動作の第２の変形例を示す。本変形例において、顔画像保持部１３０は、所有者の顔の３次元データを保持している。
電力制御部１２０は、復号部１６０に電力を供給する。復号部１６０は、顔画像保持部１３０から３次元データを読み出し（Ｓ２１０）、公開鍵受信部１５０が受信した公開鍵を用いて復号する（Ｓ２２０）。復号に失敗した場合（Ｓ２３０：Ｎｏ）、ＩＣカード１００は、顔画像保持部１３０が保持している３次元データは改ざんされた可能性があると判断して処理を終了する。
【００３４】
電力供給部１２０は、表示部１１０への電力供給を開始する。そして、表示制御部１７０は、顔の角度の初期値を設定する（Ｓ３４０）。そして、設定した角度から見た顔画像を、顔の３次元データに基づいて生成し（Ｓ３５０）、表示部１１０に表示させる（Ｓ３６０）。そして、表示制御部１７０は、予め定められた時間経過した後（Ｓ３７０）に、設定した角度を更新し（Ｓ３８０）、無線の受信が継続していることを条件に（Ｓ３９０：Ｎｏ）、新たに顔画像を生成し（Ｓ３５０）、表示部１１０が表示している顔画像を更新する（３６０）。ここで、予め定められた時間は、例えば１秒以上５秒以下である。
このため、目視で顔認証を行う人は、ＩＣカード１００を所持している人の顔と、ＩＣカード１００の所有者の顔を、複数の向きで照合することができる。
【００３５】
そして、無線の受信が終了した場合（Ｓ３９０：Ｙｅｓ）、電力制御部１２０は、顔画像保持部１３０、識別情報保持部１４０、公開鍵受信部１５０、復号部１６０、及び表示制御部１７０への電力供給を遮断する（Ｓ３９５）。この動作の詳細は、図５のＳ１５０と同じであるため詳細を省略する。
【００３６】
なお、表示制御部１７０は、表示させるべき所有者の顔の向きを外部から指定されてもよい。この場合、表示制御部１７０は、所有者の顔を指定された向きで静止画として表示させてもよい。
【００３７】
図８は、処理回路１４の変形例を示すブロック図である。本例において、処理回路１４は、表示部１１０、電力制御部１２０、顔画像保持部１３０、識別情報保持部１４０、表示制御部１７０、表示可否保持部１７５、及び発信部１８０を有する。
【００３８】
表示可否保持部１７５は、ＩＣカード１００の利用目的を示す情報に対応付けて、ＩＣカード１００の所有者の顔画像を表示するか否かを示す情報を保持している。表示可否情報保持部１７５は、利用目的の重要性が高い場合、利用目的を示す情報に対応付けて、所有者の顔画像を表示する旨を示す情報を保持している。また、利用目的の重要性が低い場合、利用目的を示す情報に対応付けて、所有者の顔画像を表示しない旨を示す情報を保持している。利用目的の重要性が高い場合とは、例えばＩＣカード１００が決済機能を有する場合において、決済金額が予め定められた額以上の場合である。
【００３９】
そして、発信部１８０は、識別情報保持部１４０が保持している所有者の識別情報を外部に発信する。また、表示制御部１７０は、ＩＣカード１００の利用目的を示す情報を無線で外部から受信する。表示制御部１７０は、受信した利用目的を示す情報を表示可否保持部１７５に照合し、所有者の顔画像を表示するか否かを判断する。所有者の顔画像を表示すると判断した場合、表示制御部１７０は表示部１１０に顔画像を表示させる。
このため、ＩＣカード１００は、ＩＣカード１００の利用目的の重要性が低い場合、表示部１１０に所有者の顔画像を表示しない。従って、ＩＣカード１００は、なるべく自分の顔をカードに表示させたくない、という一般使用者の要求に、更に沿うことができる。
【００４０】
なお、顔画像を表示させるときの処理回路１４の動作は、図５のＳ１００及びＳ１３０〜Ｓ１５０、図６のＳ２１０及びＳ２４０〜Ｓ２８０、若しくは図７のＳ３１０及びＳ３４０〜Ｓ３９５と同じであるため説明を省略する。
【００４１】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００４２】
例えば表示部１１０は、図９に示すように、バックライト１１２、バックライト１１２からの光を画素ごとに透過又は遮断する複数のシャッタ１１４、及び画素ごとに設けられ、シャッタ１１４を透過した光によって発光する複数の蛍光体１１６を備えてもよい。複数の蛍光体１１６のそれぞれは、例えば赤、緑、及び青を発光する蛍光体を有する。この場合、蛍光体１１６は、発光画素が発光を終えた後にも継続して発光する。従って、顔認証を行った人がＩＣカード１００を返却した後も、ＩＣカード１００の表示部１１０は、しばらくの間顔を表示する。このため、ＩＣカード１００の所持者は、顔認証時に表示部１１０に表示された顔を視認することができる。
【００４３】
【発明の効果】
上記説明から明らかなように、本発明によれば、本人認証の時だけＩＣカードに所有者の顔画像を表示させることができる。
【図面の簡単な説明】
【図１】本発明の実施形態であるＩＣカード１００の正面図である。
【図２】ＩＣカード１００の回路図である。
【図３】処理回路１４の機能構成を示すブロック図である。
【図４】ＩＣカード１００の動作を示すフローチャートである。
【図５】図４のＳ５０の一例を示すフローチャートである。
【図６】図５に示したＳ５０における動作の第１の変形例を示すフローチャートである。
【図７】図５に示したＳ５０における動作の第２の変形例を示すフローチャートである。
【図８】処理回路１４の変形例を示すブロック図である。
【図９】表示部１１０の構成を示す断面図である。
【符号の説明】
１０  ＩＣカード
１８  コンデンサ（蓄電部）
２０  無線発信装置
１１０  表示部
１２０  電力制御部
１３０  顔画像保持部
１４０  識別情報保持部
１５０  公開鍵受信部
１６０  復号部
１７０  表示制御部
１８０  発信部
【図１】
2004240632.tif 000003
【図２】
2004240632.tif 000004
【図３】
2004240632.tif 000005
【図４】
2004240632.tif 000006
【図５】
2004240632.tif 000007
【図６】
2004240632.tif 000008
【図７】
2004240632.tif 000009
【図８】
2004240632.tif 000010
【図９】
2004240632.tif 000011